(57)【特許請求の範囲】
【請求項１】
内部に商品を陳列する商品陳列棚を背面側から着脱自在に設けたケース本体と、このケース本体に設けられ前記商品陳列棚を照らす照明装置とを備えたショーケースであって、
前記ケース本体を、間隔をあけて配置された左右の枠体と、これらの枠体に少なくとも上面部および前面側を対象として設けられた透明部材とを備えて構成し、
前記商品陳列棚を複数段で構成し、
前記照明装置を、前記複数段の商品陳列棚のそれぞれに対応させると共に前記ケース本体の外表面でかつ前記透明部材領域に着脱自在に設けたことを特徴とするショーケース。
【請求項２】
請求項１に記載したショーケースにおいて、
前記照明装置をバー状に形成すると共に当該照明装置を前記左右の枠体間に架けわたして設けたことを特徴とするショーケース。
【請求項３】
請求項１または請求項２に記載したショーケースにおいて、
前記照明装置を、前記ケース本体の透明部材の上面に設けられ前記複数段の商品陳列棚のうち最上段の商品陳列棚を照明可能な上段用照明装置と、
前記ケース本体の透明部材の前面に設けられ前記複数段の商品陳列棚のうち２段目以降の商品陳列棚を照明可能な前面用照明装置とで構成したことを特徴とするショーケース。
【請求項４】
請求項３に記載したショーケースにおいて、
前記上段用照明装置を、長手方向に等間隔で多数個のＬＥＤを装備すると共に長手方向両端部に電極部を有するＬＥＤ基板と、このＬＥＤ基板を収納する長尺枠体と、この長尺枠体の長手方向両端部に設けられ前記ＬＥＤ基板の電極部と接触可能かつ電源側の電極部と接触可能な接点部材を装備したソケットと、このソケットにスライド可能に設けられ前記左右の枠体側に前進したとき当該前記左右の枠体と係合して前記ソケットを当該枠体に固定するロック機構と、を備えて構成し、
前記前面用照明装置を、長手方向に等間隔で多数個のＬＥＤを装備すると共に長手方向両端部に電極部を有するＬＥＤ基板と、このＬＥＤ基板を収納する長尺枠体と、この長尺枠体の長手方向両端部に設けられ前記ＬＥＤ基板の電極部と接触可能かつ電源側の電極部と接触可能な接点部材を装備したソケットと、このソケットにスライド可能に設けられ前記左右の枠体側に前進したとき当該前記左右の枠体と係合して前記ソケットを当該枠体に固定するロック機構と、を備えて構成したことを特徴とするショーケース。
【請求項５】
請求項４に記載したショーケースにおいて、
前記前面用照明装置の前記長尺枠体の幅方向の上側に位置する部分に、前記ＬＥＤの光の一部が前記長尺枠体から前記透明部材の前面側の上方に向けて反射するのを遮蔽する前面用光遮蔽部を設けたことを特徴とするショーケース。
【請求項６】
請求項４または請求項５に記載したショーケースにおいて、
前記上段用照明装置の前記長尺枠体の幅方向の一端部に、前記ＬＥＤの光の一部が前記長尺枠体から前記透明部材の上面部で前記透明部材の前面側に反射するのを遮蔽する上面用光遮蔽部を形成したことを特徴とするショーケース。
【請求項７】
請求項４ないし請求項６のいずれか一つに記載したショーケースにおいて、
前記ＬＥＤ基板と長尺枠体とをアルミ押し出し成形により形成したことを特徴とするショーケース。
【請求項８】
請求項４ないし請求項７のいずれか一つに記載したショーケースにおいて、
前記左右の枠体を、それぞれ内側枠体と、この内側枠体の外側に設けられ当該内側枠体と一体化された外側枠体とを備えて構成し、
前記内側枠体と外側枠体との間に前記電源側の電極部を構成すると共に前記接点部材と接触可能な電極板を挟み込んだことを特徴とするショーケース。
【請求項９】
請求項８に記載したショーケースにおいて、
前記各内側枠体の内側面に、前記ロック機構をガイドすると共に当該ロック機構と係合して前記上段用照明装置および前面用照明装置を前記枠体に取り付けるガイド部材を設けたことを特徴とするショーケース。
【発明の詳細な説明】
【技術分野】
【０００１】
本発明はショーケースに係り、さらに詳しくは、照明装置の取り付け位置を工夫することで内部の清掃性の向上を図れ、また、照明装置の交換を容易に行えるようにしたショーケースに関する。
【背景技術】
【０００２】
例えばコンビニエンスストアにはレジ用カウンターが設置されており、このレジ用カウンターには、卓上型のコールドショーケースや、ホットショーケース等が載置されている。
これらの各ショーケースには、冷却または加温された飲料物や調理済み食品が陳列されるようになっている。
【０００３】
以上のような各ショーケースのうち、加温ショーケースとしては、外気温度に影響されることなく商品を適温に加熱することを可能とするショーケースが知られている（例えば特許文献１参照）。
この特許文献１に開示されたショーケースでは、陳列室内にて商品を陳列する載置面の上方に設けられたランプヒータと、載置面と熱交換関係に設けられたコードヒータとにより商品を加熱するように構成されている。そして、コードヒータを通電制御する制御装置を備えている。
【先行技術文献】
【特許文献】
【０００４】
【特許文献１】特開２０１０−６３６０７号公報
【発明の概要】
【発明が解決しようとする課題】
【０００５】
しかし、上記特許文献１では次のような問題点がある。
すなわち、照明機能や加温機能を果たすためのランプヒータやコードヒータがショーケースの内部に設けられているので、陳列棚に陳列された、例えば唐揚げ等の油を使用した商品から跳ねた油が、ショーケースの内部ガラス面や、ランプヒータおよびコードヒータの表面に付着し、時間の経過と共にそれらが油まみれになる。そのため、庫内が不衛生となり、また、照度も暗くなるという問題が生じる。
【０００６】
さらに、ランプヒータやコードヒータがショーケースの内部において各段の棚の裏面にそれぞれ設けられているので、ショーケース内部の清掃を行う際に、ランプヒータやコードヒータが邪魔になって隅々まで清掃し難く、清掃性が悪いという問題がある。
そのうえ、コードヒータもショーケースの内部や棚に固定してあるため、棚を取り外しての清掃ができず、内部の清掃が充分に行えない。
また、油まみれのランプヒータやコードヒータを清掃する際、上向きの姿勢での作業となるので清掃し難く、清掃性が悪いという問題もある。
さらに、ランプ交換に際しても、各陳列棚間での取替え作業となるので、狭い箇所で、かつ上向きの作業となり、その結果、ランプ交換作業が困難である。
【０００７】
以上のような各問題は、ランプヒータ等がショーケースの内部に設けられているために生じるものである。
そこで、ランプをショーケースの外側に設けることも考えられるが、ランプを外部に設けた場合、そのランプが視界の邪魔となり、ショーケース内部の商品が見えにくくなる。また、ショーケースの前面側の一部に設けた場合、ランプがガラスの表面に反射してショーケース内の商品が見にくいという問題が生じる。
そのため、ランプをショーケースの外側に設ける場合でも、ショーケースの上段しか設置できないということになるが、その場合、光が下方にまで充分に届かず、ショーケース内の商品が見にくくなる。
【０００８】
本発明の目的は、上述した各課題を解決するために、照明装置を取り外すことなく内部の清掃を容易に行うことができると共に、照明装置の交換を容易に行うことができるショーケースを提供することにある。
【課題を解決するための手段】
【０００９】
前記目的を達成するために、本発明のショーケースは、内部に商品を陳列する商品陳列棚を背面側から着脱自在に設けたケース本体と、このケース本体に設けられ前記商品陳列棚を照らす照明装置とを備えたショーケースであって、
前記ケース本体を、間隔をあけて配置された左右の枠体と、これらの枠体に少なくとも上面部および前面側を対象として設けられた透明部材とを備えて構成し、
前記商品陳列棚を複数段で構成し、
前記照明装置を、前記複数段の商品陳列棚のそれぞれに対応させると共に前記ケース本体の外表面でかつ前記透明部材領域に着脱自在に設けたことを特徴とする。
【発明の効果】
【００１０】
本願発明のショーケースによれば、ケース本体の内部に商品を陳列する商品陳列棚が着脱自在に設けられると共に、このケース本体の外表面に商品陳列棚を照らす照明装置が設けられているので、ケース本体の内部の清掃を行う際に、商品陳列棚を取り外せば内部に照明装置等の清掃の邪魔となるものがない。その結果、隅々まで容易に清掃することができ、清掃性の向上を図ることができる。
また、照明装置の交換が必要となったとき、ケース本体の外表面に商品陳列棚を照らす照明装置が設けられているので、ケース本体の内部に照明装置等が設けられている場合に比べて、広いスペースでの交換作業となり、その結果、照明装置の交換が容易である。
【図面の簡単な説明】
【００１１】
【図１】本発明に係るショーケースの一実施形態を示す全体斜視図である。
【図２】前記実施形態のショーケースの背面図である。
【図３】図２におけるIII-III線に沿った断面でショーケースの前面側から見て右側の枠体の内側を示す全体側面図である。
【図４】前記実施形態のショーケースの照明装置を構成する上段用照明装置を示し図１におけるIV矢視図である。
【図５】前記実施形態のショーケースの照明装置を構成する中段用照明装置を示し図１におけるV矢視図である。
【図６】図３におけるVI-VI線に沿った断面図である。
【図７】前記実施形態のショーケースの上段用照明装置を構成する上面用枠部材を表し、図４のVII-VII線に沿った断面図である。
【図８】前記実施形態のショーケースの照明装置を構成するＬＥＤ基板を表し、同図（Ａ）はＬＥＤ基板の正面図であり、同図（Ｂ）は同図（Ａ）のＢ―Ｂ線に沿った断面図である。る。
【図９】前記実施形態のショーケースの上段用照明装置を構成するＬＥＤ基板と長尺の上面用枠部材と上面用ソケットと上面用ロッカーとを示す裏側から見た分解正面面図である。
【図１０】図９の状態から各部材を組み立てて上段用照明装置を右側の枠体に取付ける状態を裏側から見た図である。
【図１１】図１０の状態から上面用ロッカーを矢印方向にスライドさせて上段用照明装置を右側の枠体に取付けた状態を示す上面から見た図である。
【図１２】図１１のXII―XII線に沿った断面図である。
【図１３】前記実施形態のショーケースにおける上段用照明装置のＬＥＤ基板と上面用ソケットとの取付け関係を表し、同図（Ａ）はＬＥＤ基板を上面用ソケットに取付ける前の状態、同図（Ｂ）はＬＥＤ基板を上面用ソケットに挿入して取付けた後の状態を示す縦断面図である。
【図１４】前記実施形態のショーケースにおける右側の枠体の上段用照明装置の取り付け部を表し、同図（Ａ）は取り付け部の正面図であり、同図（Ｂ）は同図（Ａ）のＢ矢視図である。
【図１５】前記実施形態のショーケースの上段用照明装置をケース本体の枠体に取り付ける手順を示す図であり、同図（Ａ）は上段用照明装置の右側端部と枠体の取り付け部との関係を示す図、同図（Ｂ）は上段用照明装置の右側端部と枠体の取り付け部とを係合した後ロックする状態を示す図である。
【図１６】前記実施形態のショーケースの中段用照明装置を構成する前面用枠部材を表し、図５のXVI-XVI線に沿った断面図である。
【図１７】前記実施形態のショーケースの前面用照明装置を構成するＬＥＤ基板と前面用枠部材と前面用ソケットと前面用ロッカーとを示す裏側から見た分解正面面図である。
【図１８】図１７の状態から各部材を組み立てて中段用照明装置を右側の枠体に取付ける状態を裏側から見た図である。
【図１９】図１８の状態から前面用ロッカーを矢印方向にスライドさせて中段用照明装置を右側の枠体に取付けた状態を示す上面から見た図である。
【図２０】図１９のXX―XX線に沿った断面図である。
【図２１】前記実施形態のショーケースにおける中段用照明装置のＬＥＤ基板と前面用ソケットとの取付け関係を表し、同図（Ａ）はＬＥＤ基板を前面用ソケットに取付ける前の状態、同図（Ｂ）はＬＥＤ基板を前面用ソケットに挿入して取付けた後の状態を示す縦断面図である。
【図２２】前記実施形態のショーケースにおける右側の枠体の中段用照明装置の取り付け部を示す正面図である。
【図２３】図２２におけるＹ矢視図である。
【図２４】前記実施形態のショーケースの中段用照明装置をケース本体の右側の枠体に取り付ける手順を示す図であり、同図（Ａ）は中段用照明装置の右側端部と右側の枠体の取り付け部との関係を示す図、同図（Ｂ）は中段用照明装置の右側端部と枠体の取り付け部とを係合した後ロックする状態を示す図である。
【図２５】前記実施形態のショーケースのバランス用長尺枠体と前面ガラスとの関係を示す縦断面図である。
【発明を実施するための形態】
【００１２】
以下に、図１〜図２５を参照して本発明に係るショーケースの一実施形態を説明する。
本実施形態のショーケース１は、内部に商品を陳列する商品陳列棚３０を背面側から着脱自在に設けたケース本体１０と、このケース本体１０に設けられ上記商品陳列棚３０を照らす照明装置４０とを備えて構成され、この照明装置４０をケース本体１０の外側に着脱自在に設けたものである。
【００１３】
まず、図１，２に基づいてショーケース１の全体を説明する。
図１に示すように、本実施形態のショーケース１は、例えば、コンビニエンスストアの売り場のレジ用カウンター１００の上等に配置されるようになっている。
そして、図１において左斜め手前側が、客が商品を選択・注文し、かつ受け取るための前面側であり、右斜め奥側が、店の係員がショーケース１の内部に商品を陳列したり、陳列してある商品の中から所定の商品を取り出し、かつ受け渡す背面側である。
【００１４】
ショーケース１は、全体略縦型の四角形形状に形成されたケース本体１０を備えて構成されている。
ケース本体１０は、互いに所定間隔をおいて前面側から見て左右に配置された２本の枠体１１，１２を備えており、これらの枠体１１，１２は、図３にも示すように、上辺部および下辺部と、各上辺部および下辺部の一端部同士に連続する長辺部を有する形状に形成されている。そして、長辺部は、図１にも示すように、前面側に向かって緩やかな湾曲形状に形成されている。
【００１５】
図６に右側の枠体１２の断面を示すように、枠体１２は、外側部材１２Ａと内側部材１１２Ｂとで構成され、両者１２Ａ，１２Ｂは貼り付け等により一体的に形成されている。また、これらの各部材１２Ａ，１２Ｂは、樹脂成形により形成されている。
そして、このような外側部材１２Ａと内側部材１１２Ｂとに挟まれて、照明装置４０に電流を送り込む電極板２０が設けられている。
【００１６】
この電極板２０は、ＳＵＳ等の薄板で形成されており、図３に示すように、外側枠部材１２Ａと、内側枠部材１２Ｂとの間に挟み込まれている。
この電極板２０は、各枠部材１１，１２の上面部と前面側との外形形状に対応した形状に形成されている。ただし、各枠部材１１，１２の上面部の一端部から所定寸法後退した位置から、上面部と前面側との交点から下面部側に向かって所定寸法延出した位置までの外形形状となっている。すなわち、電極板２０の下方側の短部は、下段用陳列棚３３を照らす下段用照明装置４３に通電できるような位置まで延出している。
【００１７】
枠体１２には、それぞれ前記上段用照明装置４１、中段用照明装置４２、および下段用照明装置４３を取り付けるために、上段用取付け部６１、中段用取付け部７１、および下段用取付け部７２がそれぞれ設けられている。
ここで、前述のように、各枠部材１１，１２は左右対称形に形成されているので、左側の枠部材１１にも、上段用取付け部６１、中段用取付け部７１、および下段用取付け部７２に対応する各取付け部がそれぞれ設けられている。
【００１８】
また、左側の枠体１１は右側の枠体１２と対称形であるが、左側の枠体１１の構成は右側の枠体１２の構成と同じであり、外側部材と内側部材との間には上記電極板２０と同様の電極板２０が挟みこまれている。
なお、図３において、枠体１２の上部を、符号Ｍで示すように破断したのは、電極板２０の上端部および当該電極板２０とケーブル２２との接続部を表示するためである。
【００１９】
各枠体１１，１２間には、側面形状が当該各枠体１１，１２の側面形状に沿って形成された耐熱性の透明部材である前面ガラス１８が嵌め込まれている。
また、各枠体１１，１２のそれぞれの一側面にも、耐熱性の側面ガラス１９が嵌め込まれている。これらの前面ガラス１８および側面ガラス１９は、二重構造となっている（図６参照）。
【００２０】
図１に戻って、ケース本体１０において各枠体１１，１２における上辺部間の背面側には両者を連結する上部連結プレート１３が設けられている。
また、ケース本体１０の下部には、ショーケース１の内部、つまりケース本体１０の内部を加温する加温駆動装置１４が設けられている。
【００２１】
図２に示すように、ケース本体１０の背面には、当該ケース本体１０の内部に商品を陳列したり、陳列してある商品の中から所定の商品を取り出し、かつ受け渡したりするためのガラス戸１５が設けられている。
また、加温駆動装置１４の背面側には、外部電源から引き入れた電力を照明装置４０側に送出する電源接続部１７が設けられている。この電源接続部１７と前記電極板２０の上端部との間にはケーブル２２が接続され（図３参照）、このケーブル２２の途中には、外部電源から送電された１００ＶのＡＣ電源を例えば１２ＶのＤＣ電源に変換するＡＣ／ＤＣ変換器２８が配置されている。
さらに、ケース本体１０の側面において背面側には、上部連結プレート１３と加温駆動装置１４との間に側部連結プレート１６が設けられている（図１参照）。
【００２２】
図１に示すように、ケース本体１０には、例えば３段の商品陳列棚３０が設けられている。
すなわち、３段の商品陳列棚３０は、最上段に配置される上段陳列棚３１、上記加温装置１４の上面に配置される下段陳列棚３３、および両者３１，３３の間に配置される中段陳列棚３２とで構成されている。
ただし、商品陳列棚３０は３段に限定されず、ユーザーの要望に応じて任意の段数の商品陳列棚とすることができる。
【００２３】
各陳列棚３１，３２，３３は、図示しない棚受枠とこの棚受枠に支持されると共に商品を陳列する商品受皿３４とで構成されている。
上記各陳列棚３１，３２，３３の棚受枠は、前記２枚の側部連結プレート１６の内側面に設けられた例えば２本の受けピン（図略）に着脱可能に設けられるようになっている。
【００２４】
ここで、本実施形態では、商品陳列棚３０を上下２段構成とすることができるようになっている。すなわち、商品陳列棚を２段にする場合、上段陳列棚３１と中段陳列棚３２とを取り外し、その代わりに両陳列棚３１，３２の間、すなわち、ケース本体１０の高さ方向略中間部に２段用の陳列棚３５を設けることができるようになっている。
この場合、２段用の陳列棚３５に対応するように、２枚の側部連結プレート１６のそれぞれの内側面には、例えば２本の受けピン（図略）がそれぞれ埋め込まれている。
【００２５】
前述のように、ケース本体１０に設けられた３段の商品陳列棚３１，３２，３３を照らし、陳列商品を見やすくするために、照明装置４０がケース本体１０に対して着脱可能に設けられている。
すなわち、照明装置４０は、前記上段陳列棚３１の照明用として配置された上段用照明装置４１と、中段陳列棚３２の照明用、つまり前面用の照明用として配置された中段用照明装置４２と、下段陳列棚３３の照明用の下段用照明装置４３と、前述したように、場合によって２段用の商品陳列棚とするとき、それに対応する前記２段用照明装置４４との４種類で構成されている。
【００２６】
まず、上段用照明装置４１の説明をする。
上段用照明装置４１は、図１，３，４に示すように、ケース本体１０の上部ガラス面において枠体１１，１２の前面側寄りに配置され、かつ前記対向する２本の枠体１１，１２間に着脱可能に架けわたされている。
上段用照明装置４１は、図４，９に示すように、２本の枠体１１，１２間に収まる寸法で略扁平のバー状の長尺部材である上面用枠部材４５と、この上面用枠部材４５の凹状内部に装着されたＬＥＤ基板４６と、上面用枠部材４５の長さ方向両端に装備されると共に内部に上記ＬＥＤ基板４６の一端部が挿入された上面用ソケット４7，４８と、これらの上面用ソケット４７，４８の外周にスライド自在に装着されたロック機構である上面用ロッカー４９，５０とを備えて構成されている。
【００２７】
最初に上面用枠部材４５を説明する。
上面用枠部材４５は、図７に詳細を示すように、内部に凹部４５Ａを有し、全体断面外形形状が略台形、つまり略扁平となった長尺に形成され、このような上面用枠部材４５は、放熱性に優れたアルミを押し出し成形して形成されている。
【００２８】
上面用枠部材４５の内部の凹部４５Ａには、当該上面用枠部材４５の上面４５Ｂに対して前面側に低くなるように傾斜したＬＥＤ基板取付け面４５Ｃが形成され、この基板取付け面４５Ｃの表面に、ＬＥＤ基板４６がその裏面に塗布された接着剤等により貼り付けられている。そして、ＬＥＤ基板４６の表面には多数個のＬＥＤ５１が装備されている。
上記傾斜角度は、水平に対して、例えば１５度〜３０度の範囲に設定されると好適である。そのため、ガラス上面に対して、つまり最上段の陳列棚３１の陳列商品に対して、ＬＥＤ５１の光が前面側から背面側に向けて斜め上方から当たるようになっている。
但し、上記傾斜角度は任意に設定することができる。ケース本体１０の大きさ、つまり、商品棚の広さ等に対応して、商品を最適の範囲で照らせるようになっていればよい。
【００２９】
また、上面用枠部材４５の下面側には、ＬＥＤ５１を保護するための透明パネル５２が嵌め込まれている。そして、この透明パネル５２は、上面用枠部材４５の上面４５Ｂと平行になっている。
【００３０】
さらに、上面用枠部材４５の下面、かつ前面側の下端には、光遮蔽部材としての所定厚さ寸法のゴム部材５３が、その表面凸部５３Ａを、上面用枠部材４５の下面に形成された水平溝４５Ｄに嵌め込んで着脱自在に取り付けられている。このゴム部材５３は、上面用枠部材４５の長さと略同じ長さ寸法に形成されている。
【００３１】
ここで、通常の状態では、上面用枠部材４５の下端とガラス１８の表面との間に、上面用ソケット４７，４８および上面用ロッカー４９，５０の底面の厚さ分だけの隙間が生じているため、その隙間からＬＥＤ５１の光が漏れてしまう。そうすると、その光がガラス１８の表面に反射して視界が遮られてしまい、その結果、内部に陳列されている商品が見え難くなる。
【００３２】
そこで、そのような不具合を解消するため、本実施形態では、上記のように上面用枠部材４５の下面にゴム部材５３を設けたものである。ゴム部材５３は、上面用枠部材４５の下端とガラス１８の表面との間の隙間の寸法と略同じ厚さに形成されている。
そのため、上面用枠部材４５の顧客側に光が漏れることがなくなり、視界が遮られることもなく、その結果、内部に陳列されている商品が見え易くなるという効果が得られる。
なお、ゴム部材５３に替えて合成樹脂製の光遮蔽部材を用いてもよい。
【００３３】
前記ＬＥＤ基板４６は、前記左右の枠体１１，１２間に収まる長尺に形成され、放熱性に優れたアルミ板で形成されている。ただし、アルミ板に換えて合成樹脂製のＬＥＤ基板としてもよい。
ＬＥＤ基板４６の長さ方向両端部には、図８に示すように、それぞれ＋−用のシール状の電極部４６Ａが設けられている。そして、ＬＥＤ基板４６の表面には、ＬＥＤ取付け範囲内に均等間隔で多数個の前記ＬＥＤ５１が装備されている。
また、図９に示すように、前記ＬＥＤ基板４６は、上面用枠部材４５の全長より所定寸法長く形成され、長さ方向の両端が均等に上面用枠部材４５の端部から突出した状態で、その突出部を前記上面用ソケット４８のＬＥＤ基板挿入溝４８Ｂに挿入して装着されるようになっている。
【００３４】
次に、前記上面用ソケット４８の説明をする。
前述のように、上面用枠部材４５の両端部には、上面用ソケット４７，４８がそれぞれ取り付けられるようになっているが、両者４７，４８は対称形となっているので、ここでは、ケース本体１０の前面側から見て右側の上面用ソケット４８について説明する。
【００３５】
上面用ソケット４８は、図１２に示すように正面視で略台形形状、図９に示すように底面形状が、一端部に突出寸法Ｌ１で投影形状が四角形となった突起部４８Ａを有する略四角形形状に形成されている。また、上面用ソケット４８には、図１２に示すように、上面用枠部材４５の長手方向に沿って、前記ＬＥＤ基板４６を挿入するためのＬＥＤ基板挿入溝４８Ｂが前面側に傾斜して形成されている。
【００３６】
また、上面用ソケット４８には、その全長にわたって、一部がＬＥＤ基板挿入溝４８Ｂの一部に連続した角溝４８Ｃが形成され、この角溝４８ＣにＬＥＤソケット接点バネ（以下、単に接点バネという）５５が挿入されている（図９，１３参照）。
そして、接点バネ５５の先端部は、図１３（Ａ）（Ｂ）に示すように、突起部４８Ａに形成された溝状の空間内に収納されている。
【００３７】
上面用ソケット４８の底面部において上記突起部４８Ａ側寄りの位置には、上面用ロッカー５０を定位置に位置決めする上面ロッカー位置決め凹溝４８Ｄが形成されている。
また、上面用ソケット４８の底面部には、次に述べるＬＥＤソケットスライドバネ（以下、単にスライドバネという）５６をスライド自在とするスライド用溝４８Ｅが形成されている。
【００３８】
このような上面用ソケット４８は、ＬＥＤ基板挿入溝４８ＢにＬＥＤ基板４６を挿入した状態で、上面用ソケット４８の長手方向に沿ってあけられた取り付け穴から止めねじを差込み、その止めねじを上面用枠部材４５の端面に切られたネジ孔に螺合させることで当該上面用枠部材４５に固定されるようになっている。
【００３９】
次に、前記上面用ロッカー５０の説明をする。
前述のように、上面用枠部材４５の両端部には、上面用ソケット４７，４８にそれぞれスライド自在となって上面用ロッカー４９，５０が取り付けられているが、両者４９，５０は対称形となっているので、以下には、前面側から見て右側の上面用ロッカー５０について説明する。
【００４０】
上面用ロッカー５０は、図１２に示すように、一端にフランジ部を有するが正面視で全体略台形形状、図９に示すように底面が略四角形形状に形成されている。
上面用ロッカー５０の内部には、上面用ソケット４８の外周に沿ってスライド自在となるように、上面用ソケット４８の外形形状に合わせたソケット用溝５０Ａが形成されている。また、上面用ロッカー５０の底面部には、枠体１２側の一端部から長さ方向の略中央部にわたって延出し、上面用ロッカー５０をスムーズにスライドさせるためのＬＥＤソケットスライドバネ（以下、単にスライドバネという）５６が取り付けられている。
【００４１】
このスライドバネ５６は、その一端部が上面用ロッカー５０の底面の端部に固定され、先端側が底面から前記ソケット用溝５０Ａ内に折り曲げられると共に、底面の上面用枠部材４５側に形成された孔部５０Ｂの位置まで伸びて設けられている。そして、その先端部には、上面用ソケット４８の底面側に突出した突起部５６Ａが形成されている。
【００４２】
この突起部５６Ａは、上面用ロッカー５０を上面用ソケット４８に沿ってスライドさせたとき、前記上面用ロッカー位置決め凹溝４８Ｄに嵌まり込むようになっている。そして、これにより、上面用ロッカー５０が所定位置にロックされることになる。
上面用ロッカー５０が所定位置にロックされるとき、上面用ロッカー５０の移動方向先端部が、枠体１２に設けられている上段用取り付け部６１のロッカーガイド部６２にガイドされ、上記スライドバネ５６の突起部５６Ａが位置決め凹溝４８Ｂに嵌まり込んだとき、上面用ロッカー５０がロックされ、これにより、上段用照明装置４１が枠体１１，１２に、言い換えればケース本体１０に取り付けられることになる。
【００４３】
ここで、スライドバネ５６の突起部５６Ａは、上面用ソケット４８のＬＥＤ基板挿入溝４８Ｂ側に所定のバネ圧で付勢されており、両者５６Ａ，４８Ｂが嵌合し合ったとき、所定の圧力を付加しない限りその嵌合が外れないようになっている。
したがって、上段用照明装置４１が枠体１２に、言い換えれば、上段用照明装置４１がケース本体１０に確実に取り付けられることになる。
【００４４】
次に、図１３（Ａ）、（Ｂ）に基づいて、上面用ソケット４８と、ＬＥＤ基板４６と、上面用ソケット４８の接点バネ５５との係合状態を説明する。
図１３（Ａ）、（Ｂ）は、ＬＥＤ基板４６の板厚と接点バネ５５の側面形状が見えるように上面用ソケット４８を縦に断面したものである。この図１３（Ａ）、（Ｂ）に示すように、上面用ソケット４８の前記角溝４８Ｃ内に挿入された接点バネ５５は、一端部側の先端が折り曲げられて角溝４８Ｃ内の固定溝に挿入され、他端部側は途中で半円状に折り曲げられて先端が上面用ソケット４８の突起部４８Ａの溝状空間部内に収容された状態で固定されている。
【００４５】
これに対して、ＬＥＤ基板４６は、図１３（Ｂ）に示すように、図１３（Ａ）の状態から、ＬＥＤ基板４６の一端を上面用ソケット４８の前記ＬＥＤ基板挿入溝４８Ｂに差込み、ＬＥＤ基板４６の先端突部が接点バネ５５の折り曲げられた一端部に当接するまで押し込まれる。このとき、接点バネ５５の先端とＬＥＤ基板４６の電極部４６Ａとが接触し、接点バネ５５の先端部を介して、枠体１２側の電極板２０から電気が流れ、これにより、上段用照明装置４１が点灯するようになっている。
ここで、接点バネ５５は、半円状部を有すると共に端部側が互いに開く方向に付勢されているので、ＬＥＤ基板４６をＬＥＤ基板挿入溝４８Ｂに圧入するように挿入したとき、ＬＥＤ基板４６の電極部４６Ａと接点バネ５５とが強く当接する。その結果、確実な通電が可能となる。
【００４６】
前記枠体１１，１２には、以上に述べた上段用照明装置４１を着脱自在に取り付けることができるように、それぞれ上段用取り付け部６１，６１Ａが設けられている。
上段用取り付け部６１，６１Ａは、互いに対称となっているだけであり、構成は同じである。そのため、以下には、上段用照明装置４１の右側の前記上面用ソケット４８、上面用ロッカー５０を取り付けるために、右側の枠体１２に設けられた上段用取付け部６１について説明する。
【００４７】
図１４（Ａ）、（Ｂ）に示すように、上段用取付け部６１は、右側の枠体１２の内側部材１２Ｂに設けられているロッカーガイド部６２を備えており、このロッカーガイド部６２は、図１４（Ａ）に示すように、所定の隙間をおいて設けられた第１ガイド部材６２Ａと第２ガイド部材６２Ｂとで構成されている。
これらの第１ガイド部材６２Ａと第２ガイド部材６２Ｂとの間の隙間の孔部から、前記電極板２０の一部を折り曲げて形成された略Ｌ字状の立ち上がり部が枠体１２の上方側に向けて設けられ、この立ち上がり部が電気接点部２０Ａを構成している。
【００４８】
各ガイド部材６２Ａ，６２Ｂの枠体１２からの突出寸法はＬ２となっており、この突出寸法Ｌ２は、前記上面用ソケット４８の突起部４８Ａの突出寸法はＬ１よりわずかに小さな寸法に設定されている。そのため、上面用ロッカー５０と各ガイド部材６２Ａ，６２Ｂとが係合したとき、各ガイド部材６２Ａ，６２Ｂが上面用ロッカー５０に完全に覆われるようになっている。
【００４９】
このとき、前記上面用ソケット４８の突起部４８Ａの空間内に位置している接点バネ５５と電気接点部２０Ａとが接触し、これにより、電極板２０および電気接点部２０Ａを介して接点バネ５５に電流が流れ、さらに接点バネ５５からＬＥＤ基板４６に電流が流れてＬＥＤ５１が点灯するようになっている。
【００５０】
次に、以上のような上段用照明装置４１を枠体１２、言い換えればケース本体１０に取り付ける手順を説明する。
図１５（Ａ）、（Ｂ）に示すように、ＬＥＤ基板４６が上面用ソケット４８に装着され、さらにこの上面用ソケット４８の外周に上面用ロッカー５０が被せられた状態で、上段用照明装置４１を枠体１２に取り付けるには、上面用ロッカー５０を上面用ソケット４８の突起部４８Ａから離れる方向にスライドさせておいて、当該突起部４８Ａを枠体１２側の電極部  に当接させた後、上面用ロッカー５０を枠体１２に向けてスライドさせ、上面用ロッカー５０と枠体１２側のガイド部  とを係合させる。そして、これにより、上段用照明装置４１の取り付けが完了する。
【００５１】
次に、前記中段用照明装置４２、下段用照明装置４３および２段用照明装置４４の説明をする。
ここで、中段用照明装置４２、下段用照明装置４３および２段用照明装置４４は、取り付けられる位置が異なるだけであり、構成はまったく同一である。そのため、以下には、代表して中段用照明装置４２で説明する。
【００５２】
中段用照明装置４２は、図１，３，５に示すように、ケース本体１０の前面側で、かつ左右の枠体１１，１２間に着脱可能に架けわたされている。
【００５３】
中段用照明装置４２は、各枠体１１，１２間に収まる略扁平でバー状の長尺部材である前面用枠部材６５と、この前面用枠部材６５の凹部６５Ａに装着された前記ＬＥＤ基板４６と、前面用枠部材６５の長さ方向両端に装備されると共に内部にＬＥＤ基板４６の一端部が挿入された前面用ソケット６７，６８と、これらの前面用ソケット６７，６８の外周にスライド自在に装着されたロック機構である前面用ロッカー６９，７０とを備えて構成されている。
【００５４】
前面用枠部材６５は、図１６に詳細を示すように、内部に凹部６５Ａを有すると共に、
底辺側両端に下方に延びた突辺を有する断面外形形状が略三角形の長尺に形成され、上面用枠部材４５の長さ寸法と同じ長さ寸法に形成されている。また、このような前面用枠部材６５は、放熱性に優れたアルミを押し出し成形して形成されている。
凹部６５Ａは、前部ガラス面と略平行な上記突辺の一方を形成する垂直壁部６５Ｂと、この垂直壁部６５Ｂと斜めに対向する突辺の他方を形成する斜め壁６５Ｃと、ＬＥＤ基板取付け面６５Ｄとで形成されている。
【００５５】
基板取付け面６５Ｄは、垂直壁部６５Ｂ側から斜め壁６５Ｃ側に向かって低くなる傾斜状、すなわち、ガラス１８の表面に近い一端部から他端部がガラス１８の表面から離れる方向に下がる傾斜に形成されており、このＬＥＤ基板取付け面６５Ｄの表面に、前記ＬＥＤ基板４６がその裏面に塗布された接着剤等により貼り付けられている。そして、ＬＥＤ基板４６の表面には多数個の前記ＬＥＤ５１が装備されている。
この基板取付け面６５Ｄの傾斜は、前面ガラス１８に対して、例えば３０度程度の傾斜角度に設定されているが、この角度に限定されない。
従って、ＬＥＤ５１は中段陳列棚３２に陳列されている商品を前面ガラス１８の表面の斜め上方から照らすようになっている。
【００５６】
また、前面用枠部材６５のガラス面側の下端寄りには、垂直壁部６５Ｂと斜め壁６５Ｃとのそれぞれの先端に形成された長手方向の溝に嵌め込まれて、ＬＥＤ５１を保護するための前記透明パネル５２が設けられている。この透明パネル５２は、前面用枠部材６５のＬＥＤ基板取付け面６５Ｄと略平行になっている。
【００５７】
中段用照明装置４２用のＬＥＤ基板４６は、図１７に示すように、前面用枠部材６５の全長より所定寸法長く形成されており、長さ方向の両端が前面用枠部材６５の端部から突出した状態で、その突出部分を前面用ソケット６８のＬＥＤ基板挿入溝６８Ｂに圧入状態で挿入されるようになっている。
【００５８】
ここで、通常の状態では、前面用枠部材６５の下端とガラス１８の表面との間に、前面用ソケット６７，６８および前面用ロッカー６９，７０の底面の厚さ分だけの隙間が生じているため、その隙間から顧客側に光が漏れてしまう。そうすると、その光がガラス１８の表面に反射して視界が遮られてしまい、その結果、内部に陳列されている商品が見え難くなる。
【００５９】
そこで、そのような不具合を解消するため、本実施形態では、上記のように、ガラス１８の表面と略平行で、ＬＥＤ５１に対してその光を遮る方向に立ち上がった状態で、光の遮蔽部として垂直壁部６５Ｂが設けられている。
そのため、前面用枠部材６５の上面から顧客側にガラス１８の表面に反射した光が漏れることがなくなり、視界が遮られることもなく、その結果、内部に陳列されている商品が見え易くなるという効果が得られる。
【００６０】
次に、前記前面用ソケット６８の説明をする。
前述のように、前面用枠部材６８の両端部には、前面用ソケット６７，６８がそれぞれ取り付けられるようになっているが、両者６７，６８は対称形となっているので、以下には、ケース本体１０の前面側から見て右側の前面用ソケット６８について説明する。
【００６１】
前面用ソケット６８は、図２０に示すように正面視で略変形五角形形状、図１７に示すように底面部が、一端部にフランジ部を有すると共に、このフランジ部に連続して形成され突出寸法Ｌ１で投影形状が四角形となった突起部６８Ａを有する形状に形成されている。
【００６２】
前面用ソケット６８底面部のフランジ部寄りには、前記前面用ロッカー７０を位置決めするための位置決め凹溝６８Ｄが形成されている。
前面用ソケット６８には、図２０に示すように、前面用枠部材６５の長手方向に沿って、前記ＬＥＤ基板４６を挿入するためのＬＥＤ基板挿入溝６８Ｂが、その一端がガラス１８の面に向かって近づく方向に、他端が離れる方向に延びた傾斜状に形成されている。
【００６３】
また、前面用ソケット６８には、その全長にわたって、一部がＬＥＤ基板挿入溝６８Ｂの一部に連続した角溝６８Ｃが形成され(図２０，２１参照)、この角溝６８Ｃに前記接点バネ５５が挿入されている。そして、接点バネ５５の先端部は突起部６８Ａに形成された溝状の空間内に収納されている。
さらに、前面用ソケット６８の底面部において上記突起部６８Ａ側寄りの位置には、前面用ロッカー７０を定位置に位置決めする前面用ロッカー位置決め凹溝６８Ｄが形成されている。
【００６４】
このような前面用ソケット６８は、ＬＥＤ基板挿入溝６８ＡにＬＥＤ基板４６を挿入した状態で、前面用ソケット６８の長手方向に沿ってあけられた取り付け穴から止めねじを差込み、その止めねじを前面用枠部材６５の端面に切られたネジ孔に螺合させることで当該前面用枠部材６５に固定されるようになっている。
【００６５】
次に、前記前面用ロッカー７０の説明をする。
前述のように、前面用枠部材６５の両端部には、前面用ソケット６７，６８にそれぞれスライド自在となって前面用ロッカー６９，７０が取り付けられているが、両者６９，７０は対称形となっているので、以下には、前面側から見て右側の前面用ロッカー７０について説明する。
【００６６】
前面用ロッカー７０は、図１７，２０に示すように、一端にフランジ部を有するが正面視で略変形五角形形状、図１７，１８に示すように、上記フランジ部に続く凹み部７０Ｂを有するが略四角形形状の底面部を有する形状に形成されている。
前面用ロッカー７０の内部には、前面用ソケット６８の外周に沿ってスライド自在となるように、前面用ソケット６８の外形形状に合わせたソケット用溝７０Ａが形成されている。
【００６７】
また、前面用ロッカー７０の底面の一端側には、当該前面用ロッカー７０をスムーズにスライドさせるために、前記スライドバネ５６が取り付けられている。
このスライドバネ５６は、その一端部が前面用ロッカー７０の底面の端部に固定され、先端側が底面から前記ソケット用溝７０Ａ内に折り曲げられると共に、底面の前面用枠部材６５側に形成された孔部７０Ｃの位置まで伸びて設けられている。そして、その先端部には、前面用ソケット６８の底面側に突出した突起部５６Ａが形成されている。
【００６８】
このスライドバネ５６の先端の突起部５６Ａは、前面用ロッカー７０を前面用ソケット６８に沿ってスライドさせたとき、前面用ロッカー位置決め凹溝６８Ｄに嵌まり込むようになっており、これにより、前面用ロッカー７０が所定位置にロックされることになる。
前面用ロッカー７０が所定位置にロックされるとき、前面用ロッカー７０の移動方向先端部が枠体１２に設けられている中段用取り付け部７１のロッカーガイド部７５にガイドされ、上記突起部５６Ａが位置決め凹溝６８Ｄに嵌まり込んだとき、前面用ロッカー７０がロックされ、これにより、中段用照明装置４２が枠体１１，１２に、言い換えればケース本体１０に取り付けられることになる。
【００６９】
前述のように、スライドバネ５６の突起部５６Ａは、前面用ソケット６８のＬＥＤ基板挿入溝６８Ｂ側に所定のバネ圧で付勢されており、両者５６Ａ，６８Ｂが嵌合し合ったとき、所定の圧力を付加しない限りその嵌合が外れないようになっている。
したがって、中段用照明装置４２が枠体１２に、言い換えれば、中段用照明装置４２がケース本体１０に確実に取り付けられることになる。
【００７０】
次に、図２１（Ａ）、（Ｂ）に基づいて、前面用ソケット６８と、ＬＥＤ基板４６と、接点バネ５５との係合状態を説明する。
図２１（Ａ）、（Ｂ）は、ＬＥＤ基板４６の板厚と接点バネ５５の側面形状が見えるように前面用ソケット６８を縦に断面したものである。この図２１（Ａ）に示すように、前面用ソケット６８の前記角溝６８Ｃ内に挿入された接点バネ５５は、一端部側先端が折り曲げられて角溝６８Ｃ内の固定溝に挿入され、他端部側は途中で半円状に折り曲げられて先端が突起部の溝状空間内に収容された状態で収納されている。
【００７１】
これに対して、ＬＥＤ基板４６は、図２１（Ｂ）に示すような状態から、ＬＥＤ基板４６の一端を前面用ソケット６８の前記ＬＥＤ基板挿入溝６８Ｂに差込み、ＬＥＤ基板４６の先端が接点バネ５５の折り曲げられた一端部に当接するまで押し込む。このとき、接点バネ５５の突部とＬＥＤ基板４６の電極部４６Ａとが当接し、接点バネ５５の先端部を介して、枠体１２側の電極板２から電気が流れ、これにより、中段用照明装置４２が点灯するようになっている。
前述のように、接点バネ５５は、半円状部を有すると共に端部側が互いに開く方向に付勢されているので、ＬＥＤ基板４６を前面用ソケット６８のＬＥＤ基板挿入溝６８Ｂに圧入するように挿入したとき、ＬＥＤ基板４６の電極部４６Ａと接点バネ５５とが強く当接する。その結果、確実な通電が可能となる。
【００７２】
次に、図２２，２３に基づいて前面用取り付け部である中段用取付け部７１および下段用取付け部７２の説明をする。
前述のように、中段用照明装置４２、下段用照明装置４３は、それぞれ取り付け位置が異なるだけで構成は同じなので、中段用取付け部７１および下段用取付け部７２も構成は同じである。従って、以下には中段用取付け部７１で説明する。
【００７３】
中段用取付け部７１は、右側の枠体１２の内側部材１２Ｂに設けられているロッカーガイド部７５を備えている。このロッカーガイド部７５は、内側枠部材１２Ｂの表面に設けられ、中段用照明装置４２における前面用ソケット６８の突起部６８Ａの一角部をガイドすると共に、前面用ロッカー７０のソケット用溝７０Ａと係合できるようになっている。
【００７４】
このロッカーガイド部７５は、図２２，２３に示すように、所定の隙間をおいて設けられた第１ガイド部材７５Ａと第２ガイド部材７５Ｂとで構成されている。これらの第１ガイド部材７５Ａと第２ガイド部材７５Ｂとの各内側面は、互いの角度が略９０度となるように、上記電極板２０側に傾斜しており、上記前面用ソケット６８の突起部６８Ａの略９０度の一角部に対応しかつ当該突起部６８Ａをガイドできるようになっている。
各ガイド部材７５Ａ，７５Ｂの外周部は、前記中段用照明装置４２におけるロッカー７０のソケット用溝７０Ａ内に挿入されるような寸法および形状になっている。
【００７５】
また、電極板２０が外側枠部材１２Ａと内側枠部材１２Ｂとに挟み込まれた状態で、電極板２０の電気接点部２０Ａが内側枠部材１２Ｂの第１ガイド部材７５Ａと第２ガイド部材７５Ｂとの間の孔部から突出している。
そして、このとき、前面用ソケット６８の突起部６８Ａの空間内に位置している接点バネ５５と電気接点部２０Ａとが接触し、これにより、電極板２０および電気接点部２０Ａを介して接点バネ５５に電流が流れ、さらに接点バネ５５からＬＥＤ基板４６に電流が流れて中段用照明装置４２のＬＥＤ５１が点灯するようになっている。
【００７６】
ここで、各ガイド部材７５Ａ，７５Ｂの枠体１２からの突出寸法はＬ２（図２３参照）となっており、この突出寸法Ｌ２は、前記前面用ソケット６８の突起部６８Ａの突出寸法Ｌ１（図１７参照）よりわずかに小さな寸法に設定されている。そのため、前面用ロッカー７０と各ガイド部材７５Ａ，７５Ｂとが係合したとき、各ガイド部材７５Ａ，７５Ｂが前面用ロッカー７０に完全に覆われるようになっている。
【００７７】
次に、以上のような中段用照明装置４２を枠体１２、言い換えればケース本体１０に取り付ける手順を説明する。
図２４（Ａ）、（Ｂ）に示すように、ＬＥＤ基板４６が前面用ソケット６８に装着され、さらに前面用ソケット６８の外周に前面用ロッカー７０が被せられた状態で中段用照明装置４２を取り付けるには、まず、図２４（Ａ）に示すように、前面用ロッカー７０を前面用ソケット６８の突起部６８Ａから離れる方向にスライドさせておいて、当該突起部６８Ａを枠体１２側の電気接点部２０Ａに当接させる位置に運ぶ。
【００７８】
その後、図２４（Ｂ）に示すように、前面用ソケット６８の突起部６８Ａを枠体１２側の電気接点部２０Ａに当接させた後、前面用ロッカー７０を枠体１２に向けてスライドさせ、前面用ロッカー７０と枠体１２側の中段用取り付け部７１のロッカーガイド部７５Ａとを係合させる。そして、これにより、中段用照明装置４２の取り付けが完了する。
【００７９】
前述のように、下段用照明装置４３は中段用照明装置４２と同じ構成となっているので、下段用照明装置４３も中段用照明装置４２と同様の手順により取付けが行われることになる。
そして、下段用照明装置４３用の前記取り付け部７２も中段用照明装置４２用の取り付け部７１と同じ構成となっている。
また、２段用照明装置４４用の前記取り付け部７３、および商品札用枠部材５８を取り付けるための前記取り付け部７４も、中段用照明装置４２用の取り付け部７１と同じ構成となっている。
【００８０】
２段用照明装置４４を取り付ける場合は、まず、中段用照明装置４２と下段用照明装置４３とを取り外してから、２段用照明装置４４を前記中段用照明装置４２の取り付けと同様の手順により、２段用の取り付け位置に取り付けることになる。
この場合、まず、中段用照明装置４２と下段用照明装置４３を取り外した後、各装置４２，４３用の取り付け位置にブラインドキャップ８０を装着しておき、また、２段用照明装置４４を取り付ける際には、まず、２段用の取り付け位置に装着されているブラインドキャップ８０を取り外してから行う必要がある。
【００８１】
前記商品札用枠部材５８は、図２５に示すように、中段用照明装置４２の前面用枠部材６５およびその両端に装備された前面用ソケット６７，６８、前面用ロッカー６９，７０を用いて構成されている。
この商品札用枠部材５８は、下段陳列棚３３に陳列された商品の名前、値段等を記入した商品札９０を引っ掛けて取り付けるために設けられたものである。
【００８２】
そのため、商品札用枠部材５８では照明の対象がないことから、当該商品札用枠部材５８の内部に、前記ＬＥＤ５１を装備したＬＥＤ基板４６を設ける必要がなく、図２５に示すような断面形状の長尺部材、つまり、前記前面用枠部材５６と同一の形状の長尺部材が設けられている。
そして、商品札用枠部材５８を前面用ソケット６７，６８、前面用ロッカー６９，７０を介して左右の枠体１１，１２に取り付けたとき、商品札用枠部材５８とガラス１８の表面との間に隙間Ｓが生じるので、この隙間Ｓに、上述のように、商品札９０を引っ掛けることができる。
なお、前記中段用照明装置４２および下段用照明装置４３における前面用枠部材６５とのガラス１８の表面との間に隙間にも、商品札用枠部材５８と同様に商品札を引っ掛けることができる。
【００８３】
以上のように構成された本実施形態のショーケース１によれば、次のような効果が得られる。
（１）ケース本体１０の内部に商品を陳列する商品陳列棚３０が着脱自在に設けられると共に、このケース本体１０の外表面に商品陳列棚３０を照らす照明装置４０が設けられているので、ケース本体１０の内部の清掃を行う際に、商品陳列棚３０を取り外せば内部に照明装置４０等の清掃の邪魔となるものがない。その結果、隅々まで容易に清掃することができ、清掃性の向上を図ることができる。
【００８４】
（２）ケース本体１０の内部に商品を陳列する商品陳列棚３０が着脱自在に設けられると共に、このケース本体１０の外表面に商品陳列棚３０を照らす照明装置４０が設けられているので、照明装置４０の交換が必要となったとき、ケース本体１０の内部に照明装置４０等が設けられている場合に比べて、このケース本体１０の外部での作業となるので、広いスペースでの交換作業となり、その結果、照明装置４０の交換が容易である。
【００８５】
（３）照明装置４０を構成する上段用照明装置４１が略扁平でバー状の上面用枠部材４５、中段用照明装置４２および下段用照明装置４３がバー状の前面用枠部材６５をそれぞれ備えて構成されているので、小型薄型の各照明装置４１，４２，４３とすることができる。その結果、視界の邪魔にならず、ケース本体１０の内部の商品を容易に見ることができる。
【００８６】
（４）上段用照明装置４１のケース本体１０への取り付けは、上段用照明装置４１を上段用取り付け部６１に対応させると共に、上面用ソケット４８等の接点バネ５５を上段用取り付け部６１の電気接点部２０Ａに当接させた後、上面用枠部材４５の長さ方向両端に設けられた上面用ソケット４７，４８の外周に装着された上面用ロッカー４９，５０を、それぞれケース本体１０の枠体１１，１２側にスライドさせ、上段用取り付け部６１，６１Ａのロッカーガイド部６２と係合させるだけで取り付けることができる。また、取り外しは、その逆の手順で行うことができる。その結果、上段用照明装置４１の取り付け、取り外し作業が容易となり、その作業を誰でも行えると言う効果が得られる。
【００８７】
（５）中段用照明装置４２および下段用照明装置４３のケース本体１０への取り付けは、上記（４）で述べたと略同様の手順を経た後、前面用枠部材６５の長さ方向両端に設けられた前面用ロッカー６９，７０を、それぞれケース本体１０の枠体１２側にスライドさせ、中段用取り付け部７１，７１Ａおよび下段用取り付け部７２，７２Ａのロッカーガイド部７５と係合させるだけで取り付けることができ、また、係合を外すだけで取り外すことができる。その結果、中段用照明装置４２および下段用照明装置４３の取り付け、取り外し作業が容易となり、その作業を誰でも行えると言う効果が得られる。
【００８８】
（６）中段用照明装置４２および下段用照明装置４３の基板取付け面６５Ｄに、ＬＥＤ基板４６が、前面ガラス１８に対して、所定角度の傾斜角度で設けられて設定されており、ＬＥＤ５１は、中段陳列棚３２、下段陳列棚３３に陳列されている商品を、それぞれ前面ガラス１８の表面の斜め上方から背面側に向けて照らすようになっている。その結果、各陳列棚３２，３３の全体に充分な光が行き、陳列された商品が見やすくなる。
【００８９】
（７）上段用照明装置４１の上面用枠部材４５に設けられたＬＥＤ基板４６は、前面側に低くなるように傾斜して設けられているので、ＬＥＤ５１の光が前面側から背面側に向けて斜め上方から当たるようになっている。その結果、上段陳列棚３１の全体に充分な光が行き届き、陳列された商品が見やすくなる。
【００９０】
（８）中段用照明装置４２および下段用照明装置４３の前面用枠部材６５に垂直壁部６５Ｂが形成されており、この垂直壁部６５Ｂは、ＬＥＤ５１に対してその光を遮る方向に立ち上がった形状なので、斜め下方を照らすＬＥＤ５１の光が、上面用枠部材４５とガラス１８の表面との隙間から漏れるのを防止することができる。その結果、中段陳列棚３２および下段陳列棚３３に陳列されている商品が見やすくなる。
【００９１】
（９）上段用照明装置４１の上面用枠部材４５の下面の前面側端部にはゴム部材５３が設けられており、このゴム部材５３は、上面用枠部材４５に設けられたＬＥＤ基板４６のＬＥＤ５１の光が上面用枠部材４５とガラス１８の表面との隙間から漏れるのを防止することができる。その結果、上段陳列棚３１に陳列されている商品が見やすくなる。
【００９２】
（１０）左右の枠体１１，１２が、それぞれ外側枠体１１Ａ，１２Ａと、内側枠体１１Ｂ，１２Ｂとで構成され、これらの外側枠体１１Ａ，１２Ａと内側枠体１１Ｂ，１２Ｂとの間に電極板２０が挟み込まれているので、電極板２０を設けるためのスペースを別個に設けなくてもよく、その結果、ケース本体１０の内部を広くすることができる。
【００９３】
（１１）ケース本体１０の枠体１１，１２の所定箇所に、上段用取り付け部６１，６１Ａ中段用取り付け部７１および下段用取り付け部７２等が設けられ、上段用取り付け部６１，６１Ａにはロッカーガイド部６２が、中段用取り付け部７１および下段用取り付け部７２等にはロッカーガイド部７５がそれぞれ設けられている。ロッカーガイド部６２は、上段用照明装置４１の上面用ロッカー４９，５０を、ロッカーガイド部７５は、中段用照明装置４２、下段用照明装置４３の前面用ロッカー６９，７０をそれぞれガイドできるようになっているので、上段用照明装置４１、中段用照明装置４２および下段用照明装置４３の取り付け時に、各ロッカー４９，５０、６９，７０を容易に各取り付け部６１、７１，７２に係合させることができる。その結果、上段用照明装置４１等の取り付け作業が容易となる。
【００９４】
（１２）ＬＥＤ基板４６が放熱性に優れたアルミ板で形成され、上面用枠部材４５および前面用枠部材６５が、放熱性に優れたアルミを押し出し成形して形成されているので、ＬＥＤ基板４６に装備されたＬＥＤ５１から生じる熱を効率よく発散させることができる。その結果、ＬＥＤ５１への熱の影響を抑えることができ、ＬＥＤ５１の長寿命化を図ることができる。
【００９５】
（１３）ケース本体１０に２段用照明装置４４を設けることができるようになっており、この場合、中段用照明装置４２と下段用照明装置４３とを取り外してから、２段用照明装置４４を２段用の取り付け位置に取り付けるだけで、上下２段の商品陳列棚３０とすることができる。その結果、例えばコンビニエンスストアの経営者の要望に柔軟に対応することができる。
【００９６】
（１４）ケース本体１０の前面側下部には商品札用枠部材５８が設けられており、この商品札用枠部材５８を左右の枠体１１，１２に取り付けたとき、商品札用枠部材５８とガラス１８の表面との間に隙間Ｓが生じるので、この隙間Ｓに、例えば、各段の商品陳列棚３１等の商品の商品名、製造月日、値段等を記した商品札９０を引っ掛けることができる。その結果、顧客にとって利用し易いショーケース１を提供することができる。
【００９７】
以上、上記実施形態を参照して本発明を説明したが、本発明は上記実施形態に限定されるものではない。本発明の構成や詳細については、当業者が理解し得るさまざまな変更を加えることができる。また、本発明には、上記実施形態の構成の一部又は全部を相互に適宜組み合わせたものも含まれる。
【００９８】
例えば、前記実施形態では、ショーケースとして、本体内部を加温するホットショーケースが用いられているが、これに限らない。本体内部を冷蔵・冷却して使用するコールドショーケースに適用することができる。
このようなコールドショーケースでは、前記（１）〜（１４）と同様の効果の他、特に、各照明装置４１，４２，４３がケース本体の外表面に設けられているので、コールドショーケースの内部が照明装置４１等の熱の影響を受けないという特有の効果を得ることができる。
【００９９】
また、前記実施形態では、下段陳列棚３３と加温機構装置１４との境界部に設けた商品札用枠部材５８には、ＬＥＤ基板４６およびＬＥＤ５１が設けられていないが、これに限らない。この商品札用枠部材５８にもＬＥＤ基板４６およびＬＥＤ５１を装備させると共に、枠体１１，１２に設けられた電極板２０を、商品札用枠部材５８に対応できる位置まで延ばし、商品札用枠部材５８を照明装置として使用できるようにしてもよい。
このようにすれば、レジカウンター１００の上面近傍の照明を行うことができ、より明るいショーケースとすることができる。
【産業上の利用可能性】
【０１００】
本願発明は、例えばコンビニエンスストア等で用いられそのレジ用カウンターに設置する際に利用できる。
【符号の説明】
【０１０１】
１  ショーケース
１０  ケース本体
１１，１２  枠体
１８  前面ガラス（透明部材）
２０  電極板
２０Ａ  電気接点部
３０  商品陳列棚
３１  上段用商品陳列棚
３２  中段用商品陳列棚
３３  下段用商品陳列棚
３４  商品受皿
４０  照明装置
４１  上段用照明装置
４２  中段用照明装置
４３  下段用照明装置
４５  上面用枠部材（バー状の長尺部材）
４６  ＬＥＤ基板
４８  上面用ソケット
５０  上面用ロッカー
５１  ＬＥＤ
５３  ゴム部材（上面用遮蔽部材）
５５  ＬＥＤソケット接点バネ
６１  上段用取り付け部
６５  中段用枠部材（バー状の長尺部材）
６５Ａ  垂直壁部（前面用遮蔽部）
６８  中段用ソケット
７０  中段用ロッカー
７１  中段用取り付け部
【要約】      （修正有）【課題】照明装置を取り外すことなく内部の清掃を容易に行うことができると共に、照明装置の交換を容易に行うことができるショーケースを提供する。【解決手段】ショーケース１は、内部に商品を陳列する商品陳列棚３０を着脱自在に設けたケース本体１０と、このケース本体の外表面に設けられ商品陳列棚を照らす照明装置４０とで構成している。商品陳列棚を、上段陳列棚３１、中段陳列棚３２および下段陳列棚３３からなる３段に構成し、これらに対応して、照明装置を、上段用照明装置４１、中段用照明装置４２および下段用照明装置４３を備えた構成とした。そして、各照明装置を、ケース本体の枠体１１，１２に着脱自在に取り付けるように構成した。【選択図】図１【図１】
0004847620.tif 000002
【図２】
0004847620.tif 000003
【図３】
0004847620.tif 000004
【図４】
0004847620.tif 000005
【図５】
0004847620.tif 000006
【図６】
0004847620.tif 000007
【図７】
0004847620.tif 000008
【図８】
0004847620.tif 000009
【図９】
0004847620.tif 000010
【図１０】
0004847620.tif 000011
【図１１】
0004847620.tif 000012
【図１２】
0004847620.tif 000013
【図１３】
0004847620.tif 000014
【図１４】
0004847620.tif 000015
【図１５】
0004847620.tif 000016
【図１６】
0004847620.tif 000017
【図１７】
0004847620.tif 000018
【図１８】
0004847620.tif 000019
【図１９】
0004847620.tif 000020
【図２０】
0004847620.tif 000021
【図２１】
0004847620.tif 000022
【図２２】
0004847620.tif 000023
【図２３】
0004847620.tif 000024
【図２４】
0004847620.tif 000025
【図２５】
0004847620.tif 000026